(57)【要約】      （修正有）【課題】厚紙に指孔を設けた円形の団扇を二つ折りにして、指の力や疲労が早く起きて扇ぎ疲れる事の無い団扇とし、材料費や製造作業にコストが掛かりすぎる欠点をなくした団扇を提供する。【解決手段】厚紙による板状で団扇となる本体部１に、中心線となる直径を中心折目線２として設け、その中心折目線２の一端寄りに円形の切起し板３で中心折目線２と一致する状態とした切起し折目線４のある切起し板３を設け、切起し折目線４と中心折目線２とを一致する状態とし、その円形とした切起し板３の切起し折目線４と直交する円弧の弦となる直線部分を残して切線によって切起し板３を形成し、その切起し板１の先端部分を本体部１と係合する挿入切溝１０を設け、握り部９の両端部分や片端部分に内側に切り落とした状態の切落し部１２を設けた団扇。【選択図】図１
0003145229.tif 000002
【実用新案登録請求の範囲】
【請求項１】
厚紙による板状で団扇となる本体部に、その左右が重なり合って中心線となる直径を中心折目線として設け、その中心折目線の一端寄りに円形の切起し板で中心折目線と一致する状態とした切起し折目線を形成した切起し板として設け、その円形とした切起し板の切起し折目線と直交する円弧の弦となる直線部分を残して切線によって切起し板を形成し、その切起し板の切り残した直線部分となる本体部と繋がる連続部分を折り曲げ可能となる折り曲げ部として形成し、切起し板を上向きや下向きに押し込んだ後にできる孔を指孔とし、その指孔の下側部分となる下側縁から本体部の下側部分となる外側縁までの部分を握り部としたことを特徴とする二つ折り団扇。
【請求項２】
折り曲げ部と連続する切起し板の先端部分を１８０度折り曲げてから、本体部と係合する挿入切溝を切起し板の先端部分の彎曲に合わせて彎曲状態の切溝として設け、切起し板の中央部分には先端部分の彎曲とは対象的な曲げ筋部を設けたことを特徴とする請求項１記載の二つ折り団扇。
【請求項３】
本体部と係合する挿入切溝と曲げ筋部とを真横の直線状態として設けたことを特徴とする請求項１又は請求項２記載の二つ折り団扇。
【請求項４】
握り部の外側に向けた縁線を直線や曲線状態とにし、その握り部の両端部分や片端部分に、内側に切り落とした状態の切落し部を設けたことを特徴とする請求項１乃至請求項３記載の二つ折り団扇。
【考案の詳細な説明】
【技術分野】
【０００１】
この考案は、厚紙による板状で団扇となる本体部に、その左右が重なって直径となる中心線を二つ折りになる折り曲げ線として設け、その折り曲げ線の一端寄りに親指の入る円形の指孔を設けている二つ折り団扇に関するものである。
【背景技術】
【０００２】
従来の厚紙による二つ折り団扇としては、その団扇の直径にあたる屈曲部を設けたものかあるが、指を差し込む為の指孔の直径と団扇の本体部の直径とが一致しておらず、団扇を広げて使用するのに親指以外の複数の指を指孔に差し込み、その複数の指で屈曲部を押さえながら使用する特開２００３−６１７２６号公報の特許文献１があった。
また、団扇の本体部の一部に一体的に延長形成された折返し用舌片部を突出状態として備え、本体部より突出した舌片部とにかけてこれらを中央で二つ折りにする中央折目線を設け、本体部には本体部に向けて舌片部を折返してその舌片部の先端部を中央折目線と交差する切込みに挿入することで二つ折りを固定する実開昭５６−１１６２４号公報の特許文献２があったが、指孔のない団扇であった。
【０００３】
【特許文献１】特開２００３−６１７２６号公報
【特許文献２】実開昭５６−１１６２４号公報
【考案の開示】
【考案が解決しようとする課題】
【０００４】
従来の特許文献１に示す団扇は、片手の親指以外の指を指孔に入れて、指全体で折り目が折り曲がらないようにして使用するものであるから、扇ぐための指の力と折り目が折り曲がらないようにする指の力との疲労が早く起きて、扇ぎ疲れる欠点があった。
【０００５】
また、特許文献２における団扇は、団扇の本体部の一部に一体的に延長形成された折返し用の舌片部を突出状態として備え、本体部より突出した舌片部とにかけてこれらを中央で二つ折りにする中央折目線を入れ、本体部には本体部に向けて舌片部を折返して舌片部の先端部を中央折目線と交差する切込みに挿入して二つ折りを固定するもので、指孔に指を入れて持つ団扇より握り持つ力が強くなり、団扇の本体部の一部に延長形成された折返し用舌片部を突出状態として備えたものは材料費や製造作業にコストが掛かりすぎる欠点があった。
【０００６】
本考案は上述した欠点を解決するためになされたものであり、折り目が折り曲がらないようにする指の力の疲労が早く起きて扇ぎ疲れることのない団扇とし、団扇の本体部の一部に延長形成された折返し用舌片部のような突出状態とせずに製造するものであって、材料費や製造作業のコストが掛からず、二つ折りにしてポケットや小型のバックに入れて携帯し易くした団扇を提供するものである。
【課題を解決するための手段】
【０００７】
本考案は、厚紙による板状で団扇となる本体部１に、その左右が重なり合って中心線となる直径を中心折目線２として設け、その中心折目線２の一端寄りに円形の切起し板３で中心折目線２と一致する状態とした切起し折目線４のある切起し板３を設け、その切起し板３の中心線となる切起し折目線４と本体部１の中心線である中心折目線２とを一致する状態として切起し板３を形成し、その円形とした切起し板３の切起し折目線４と直交する円弧の弦となる直線部分を残して切線によって切起し状態となる切起し板３を形成している。
【０００８】
そして、その切起し板３の切起し折目線４と直交する直線部分を残して、切線によって切起し板３を形成すると、その切起し板３の切り残した直線部分となる本体部１との連続部分は折り曲げ可能状態として本体部１と連続するものであって、その連続部分を折り曲げ部５として形成している。
【０００９】
その切起し板３を親指で下に向けて押し込んだり上に向けて押し上げたりした時にできる孔を指孔６とし、その指孔６の下側部分となる下側縁７から本体部の下側部分となる外側縁８までの部分を握り部９とする二つ折り団扇としている。
【００１０】
切起し板３を親指で下に向けて押し込んだり上に向けて押し上げたりした時には、本体部１の中心折目線２が切起し板３の折り曲げ部５と真横となる状態に成るために、本体部１の左右が重なり合うことが出来なくなって本体部１が板状となって二つ折りにならない団扇となるものである。
【００１１】
その他、親指で下に向けて押し込んだり上に向けて押し上げたりして、切起し板３が折り曲げ部５を軸にぶらぶらするのが気になるときには、折り曲げ部５と連続する切起し板３の先端部分を裏側や表側に１８０度折り込んでから、本体部１と係合する挿入切溝１０を切起し板３の先端部分の彎曲に合わせて彎曲状態とした挿入切溝１０として設け、切起し板３の中央部分には先端部分の彎曲とは対象的な曲げ筋部１１を設けて切起し板３の先端部分が挿入切溝１０に差し込み易くすることが考えられるものである。
【００１２】
この切起し板３の中央部分に設ける曲げ筋部１１を切起し折目線４と直角に交差する真横の直線状態として設けることも出来るが、切起し板３の曲げ筋部１１の曲りは彎曲状態とした曲げ筋部１１の方が安定性が高いものとなるものである。
【００１３】
また、本体部１における握り部９においては、握り部９の外側に向けた外側縁８を直線状態や彎曲状態にした握り部９を設け、その両端部分や片端部分に内側に切り落とした状態の切落し部１２を設けて、人差し指とその他の指を掛けることによって握り易いものとすることが考えるられるものである。
【考案の効果】
【００１４】
本考案に関する二つ折り団扇は、縦折り線と丸孔とによって形成し、本体部１の外周縁より外側に突出する部分がないので材料費や製造作業にコストが掛からず安価で製造し易いものである。
【００１５】
また、使用するときには、、指孔に指を入れて持つだけで、本体部１の中心折目線２が切起し板３の折り曲げ部５と真横となる状態に成り、本体部１の左右が重なり合うことが出来なくなって本体部１が板状となり、扇ぐための指の力が弱くて済むものであり、折り目が曲がらないようにする指の力がいらなくなり、握り部９の両端部に切り落した状態の切落し部１２に人差し指やその他の指を掛けることで握り易くなり、握り持つ力が弱くて済むものとなるので扇ぎ疲れることが起きないものである。
【００１６】
そして、扇ぎ終わった後に、切起し板３を指孔６に戻して中心折目線２と切起し折目線４とを直線状にすれば、左右の本体部１を重ね合せて小さくすることが出来るものと成るので、ポケットやキャリアバックに入れて携帯することが便利になり、家庭に持ち帰った後でも広げて使用することができ、途中でゴミとして捨てることのないエコに有効なものとなるのである。
【００１７】
また、外側に突出する部分がない為に、団扇の製造で切り抜くときの半端切れが少なく、収納や輸送に費用も掛かり過ぎず、使用するのに持ち運びが苦にならないものである。
【考案を実施するための最良の形態】
【００１８】
以下、実施例を図面にもとづいて説明する。
【実施例１】
【００１９】
本考案に係わる実施例としては、図３に示すように、厚紙からなる板状で団扇となる本体部１に、その左右が重なり合って中心線となる直径を中心折目線２として設けていて、その中心折目線２の一端寄りに円形の切起し板３で中心折目線２と一致する状態とした切起し折目線４のある切起し板３を設けたものとしている。
【００２０】
その切起し板３の中心線となる切起し折目線４と本体部１の中心線である中心折目線２とを一致する状態として切起し板３を形成し、その円形とした切起し板３の切起し折目線４と直交する円弧の弦となる直線部分を残して切線によって図４に示すように、切起し状態となる切起し板３を形成している。
【００２１】
この切起し板３の切り残した直線部分となる本体部１との連続部分は、折り曲げ可能状態として本体部１と連続するものであって、その連続部分を折り曲げ部５として形成している。
【００２２】
また、本体部１における握り部９においては、握り部９の外側に向けた外側縁８を彎曲状態にした握り部９として形成しているものであり、握り部９の外側に向けた外側縁８を直線状態にすることも考えられる。
【００２３】
以上の様に形成したもので二つ折り団扇として使用することが出来るものであるが、第３図で示しているものは握り部９の両端部分のところを内側に切り落とした状態の切落し部１２を設けていて、人差し指とその他の指を掛けることによって本体部１の折れ曲りをきにせず、切落し部１２を設けていない団扇より握り易いものとなるものである。
【００２４】
この団扇を使用するときには、図４に示す様に、二つ折りの本体部１を平らに開いてから親指で切起し板３を下に押し込むと親指が指孔６に入ると同じに切起し板３が下に折れ曲がつて中心折目線２のある本体部１と切起し板３とが平行状態とならないことで、二つ折りの本体部１を平らに開いた状態を維持するものであって、風を送り起すことが出来るものとしている。
【００２５】
そして、この団扇の使用が終ったときの持ち歩いたり収納したりするときには、折れ曲がつている切起し板３を元に戻して本体部１と平らにしてから、中心折目線２と切起し折れ目線４とで二つ折りにすれば左右の本体部１を重ね合せて小さい団扇と成るので、ポケットやキャリアバックに入れて携帯することが便利になるのである。
【実施例２】
【００２６】
本考案に係わるより良くした実施例としては、図１と図２とに示すように、折り曲げ部５と連続する切起し板３の先端部分を裏側に１８０度折り込んでから、本体部１に係合する挿入切溝１０を切起し板１の先端部分の彎曲に合わせて彎曲状態とした挿入切溝１０として設けたものとしている。
【００２７】
また、この切起し板３の中央部分には先端部分の彎曲とは対象的な曲げ筋部１１を設けて切起し板３の先端を曲げ筋部１１に挿入するときの切起し板３の先端が入り易くする下への折り曲げを容易にするための働きをするものとしており、この曲げ筋部１１と曲げ筋部１１とをの真横の直線状態として設けることもできるものである。
【００２８】
本考案における団扇の素材は、厚紙である紙類の他にエコ紙や合成樹脂類等を使用することが考えられるものである。
【図面の簡単な説明】
【００２９】
【図１】本考案に係わるより良くした実施例を示す正面図である。
【図２】本考案に係わるより良くした実施例を示すＡ−Ａ断面図である。
【図３】本考案の実施例を示す正面図である。
【図４】本考案の実施例を示すＢ−Ｂ断面図ある。
【符号の説明】
【００３０】
１  本体部
２  中心折目線
３  切起し板
４  切起し折目線
５  折り曲げ部
６  指孔
７  下側縁
８  外側縁
９  握り部
１０  挿入切溝
１１  曲げ筋部
１２  切落し部
【図１】
0003145229.tif 000003
【図２】
0003145229.tif 000004
【図３】
0003145229.tif 000005
【図４】
0003145229.tif 000006